(57)【要約】【課題】  カーソルが付設され且つ装置構成が簡単な作業指図票ホルダーを提供する。【解決手段】  作業指図票載置用の鋼板ボード２と、その左側及び上側の端縁部をそれぞれ含んで構成される作業指図票挟持手段４Ａ，４Ｂと、カーソル６Ａ，６Ｂとを備える。挟持手段４Ａ，４Ｂはボード２の左側及び上側の端縁部に対してそれぞれ付勢力をもって当接される押さえ部材を含んでおり、この押さえ部材はそれぞれボード端縁部に沿って延びる摺動ガイド部４ＡＸ，４ＢＸを有する。カーソル６Ａ，６Ｂは、それぞれ、摺動ガイド部４ＡＸ，４ＢＸに対して当接されるガイド端縁部６ＡＸ，６ＢＸ及び指示部６Ａ１，６Ｂ１及びそれに付されたゴムシート磁石６Ａ２，６Ｂ２を有し、摺動ガイド部と直交する方向に延び且つガイド端縁部６ＡＸ，６ＢＸと摺動ガイド部４ＡＸ，４ＢＸとの当接状態を維持しつつ摺動ガイド部４ＡＸ，４ＢＸと平行に移動可能である。【選択図】  図１
2007029519.tif 000002
【特許請求の範囲】
【請求項１】
作業指図票を表面上に載置するためのボードと、該ボードの少なくとも１つの端縁部を含んで構成され前記作業指図票の端縁を挟持する挟持手段とを備えた作業指図票ホルダーであって、
前記ボードは強磁性体からなる板状部材であるか又はそれを含んでなるものであり、
前記挟持手段は前記ボードの端縁部に対して付勢力をもって当接される押さえ部材を含んでおり、該押さえ部材は前記ボードの端縁部に対して当接された状態にて前記ボードの端縁部に沿って延びる摺動ガイド部を有しており、
前記作業指図票ホルダーは、更に、前記摺動ガイド部に対して当接されるガイド端縁部を有し且つ該ガイド端縁部と前記摺動ガイド部との当接状態にて前記摺動ガイド部と直交する方向に延び且つ前記ガイド端縁部と前記摺動ガイド部との当接状態を維持しつつ前記摺動ガイド部と平行に移動可能なカーソルを備えており、該カーソルは前記ガイド端縁部又はその近傍に配置されたシート状磁石を有することを特徴とする作業指図票ホルダー。
【請求項２】
前記カーソルは前記ガイド端縁部を有し且つ前記ガイド端縁部と前記摺動ガイド部との当接状態にて前記摺動ガイド部と直交する方向に延びる指示部を有しており、前記シート状磁石は前記指示部に付着していることを特徴とする、請求項１に記載の作業指図票ホルダー。
【請求項３】
前記シート状磁石はゴムシート磁石であることを特徴とする、請求項２に記載の作業指図票ホルダー。
【請求項４】
前記板状部材は鋼板であることを特徴とする、請求項１〜３のいずれかに記載の作業指図票ホルダー。
【請求項５】
前記ボードの互いにほぼ直交する方向に延びた２つの前記端縁部にそれぞれ対応して、２つの前記挟持手段及び２つの前記カーソルが設けられていることを特徴とする、請求項１〜４のいずれかに記載の作業指図票ホルダー。
【発明の詳細な説明】
【技術分野】
【０００１】
本発明は、各種製造作業工程などの作業工程において使用される作業指図票のためのホルダーに関するものである。
【背景技術】
【０００２】
従来、各種製品の製造に際しては、複数の作業工程での分業がなされている。各作業工程では、予め定められた内容の作業を行う。この作業の内容は作業指図票に記載され、この作業指図票が各作業工程の作業担当者に配布される。製造すべき製品の型式が変わったり、各工程で使用する材料の品番が変わったりすると、作業内容は変わる。従って、作業担当者は頻繁に変化する作業内容に適切に対処することが要求される。
【０００３】
作業指図票は、一般に作業場所の近くに配置されるホルダーにより保持される。作業担当者は、随時、作業指図票に記載された作業内容を確認しながら作業を行う。しかるに、この作業指図票には多くの数字や記号等が配列されて記載されており、これらの記載事項のうちから当面の作業に関する所要の記載事項を正確且つ迅速に把握し作業を行うことが作業担当者に要求される。
【０００４】
作業指図票の記載内容のうちから所要の記載事項を正確且つ迅速に把握するために、例えば、ホルダーにカーソルを付設しておき、該カーソルをホルダー上の作業指図票の所要の位置へと移動させることで、該カーソルにより指示される作業指図票の所要の記載事項に着目しやすくすることが考えられる。
【０００５】
以上のような作業指図票における所要の記載事項への着目と同様乃至類似の目的で使用されるものとして、コンピューター、ワードプロセッサー及びタイプライター等におけるデータ入力作業の際に原稿等のペーパーの所望部分への着目を容易にするためのカーソルを備えたペーパーホルダーや、読書の際の本の所望部分への着目を容易にするための指示杆を備えた書見台が挙げられる。このようなペーパーホルダーまたは書見台については、それぞれ、特開２００４−３３６０８号公報（特許文献１）及び特開２００２−２９１５４０号公報（特許文献２）に記載がある。特許文献１には、基板の側面に沿って移動可能に移動部材を配置し、該移動部材にカーソルとしてバー部材を取り付け、移動部材及び基板側面に互いに吸着する磁石体を備え付けたペーパーホルダーが記載されている。また、特許文献２には、本載置板に横書用指示杆及び縦書用指示杆を取り付けてなる書見台が記載されている。
【特許文献１】特開２００４−３３６０８号公報
【特許文献２】特開２００２−２９１５４０号公報
【発明の開示】
【発明が解決しようとする課題】
【０００６】
上記特許文献１に記載のペーパーホルダーは磁石を利用したものであるが、移動部材及び基板側面の双方に磁石体を装着しているので、これら磁石体の極性を適切に設定する必要があり、装置構成が複雑で高価なものとなっている。一方、特許文献２に記載の書見台では、横書用指示杆及び縦書用指示杆をそれぞれ摺動杆等に機械的に取り付けているので、装置構成が複雑で高価なものとなっている。
【０００７】
本発明は、上記の様な技術的課題を解決し、カーソルが付設され且つ装置構成が簡単な作業指図票ホルダーを提供することを目的とする。
【課題を解決するための手段】
【０００８】
本発明によれば、上記目的を達成するものとして、
作業指図票を表面上に載置するためのボードと、該ボードの少なくとも１つの端縁部を含んで構成され前記作業指図票の端縁を挟持する挟持手段とを備えた作業指図票ホルダーであって、
前記ボードは強磁性体からなる板状部材であるか又はそれを含んでなるものであり、
前記挟持手段は前記ボードの端縁部に対して付勢力をもって当接される押さえ部材を含んでおり、該押さえ部材は前記ボードの端縁部に対して当接された状態にて前記ボードの端縁部に沿って延びる摺動ガイド部を有しており、
前記作業指図票ホルダーは、更に、前記摺動ガイド部に対して当接されるガイド端縁部を有し且つ該ガイド端縁部と前記摺動ガイド部との当接状態にて前記摺動ガイド部と直交する方向に延び且つ前記ガイド端縁部と前記摺動ガイド部との当接状態を維持しつつ前記摺動ガイド部と平行に移動可能なカーソルを備えており、該カーソルは前記ガイド端縁部又はその近傍に配置されたシート状磁石を有することを特徴とする作業指図票ホルダー、
が提供される。
【０００９】
本発明の一態様においては、前記カーソルは前記ガイド端縁部を有し且つ前記ガイド端縁部と前記摺動ガイド部との当接状態にて前記摺動ガイド部と直交する方向に延びる指示部を有しており、前記シート状磁石は前記指示部に付着している。本発明の一態様においては、前記シート状磁石はゴムシート磁石である。本発明の一態様においては、前記板状部材は鋼板である。本発明の一態様においては、前記ボードの互いにほぼ直交する方向に延びた２つの前記端縁部にそれぞれ対応して、２つの前記挟持手段及び２つの前記カーソルが設けられている。
【発明の効果】
【００１０】
以上のような本発明の作業指図票ホルダーにおいては、強磁性体からなる板状部材を少なくとも含んでなるボードの端縁部を含んで構成された挟持手段は、ボードの端縁部に対して付勢力をもって当接される押さえ部材を含んでおり、該押さえ部材は前記ボードの端縁部に沿って延びる摺動ガイド部を有しており、更に、前記摺動ガイド部に対して当接されるガイド端縁部を有するカーソルを備えており、該カーソルはガイド端縁部又はその近傍に配置されたシート状磁石を有するものであるので、ボードに対するシート状磁石の吸着力によりカーソルを随時ボードに対して着脱可能に装着することができ、しかも、カーソルをボードに対して装着した状態で摺動ガイド部に沿って所望位置へと移動させることができる。本発明の作業指図票ホルダーは、カーソル側にのみ磁石を使用し、ボード側には該磁石の磁力に基づき適宜磁化され上記磁石に対する吸引力を生ずる強磁性体からなる板状部材を使用しているので、装置構成が簡単で作製が容易である。
【発明を実施するための最良の形態】
【００１１】
以下に、本発明の実施の形態について詳細に説明する。
【００１２】
図１は本発明による作業指図票ホルダーの一実施形態を示す模式的平面図であり、図２はその模式的部分断面図である。本実施形態の作業指図票ホルダーは、作業指図票Ｓを表面上に載置するためのボード２、作業指図票Ｓのための挟持手段４Ａ，４Ｂ及びカーソル６Ａ，６Ｂを備えている。
【００１３】
ボード２は、合成樹脂製の板状部材２１と強磁性体からなる板状部材２２とを接合してなるものである。板状部材２２としては例えば鋼板が例示されるが、これに限定されるものではない。尚、ボード２は強磁性体からなる板状部材２２のみからなるものであってもよい。但し、この場合には、それ自体で形状維持が可能な程度の剛性を持つように、比較的厚めのものを使用する。
【００１４】
挟持手段４Ａは、ボード２の図１，２中の左側の端縁部からなる基部４Ａ１と、押さえ部材４Ａ２と、該押さえ部材を基部４Ａ１に対して図２の紙面と垂直の方向（図１中の上下方向）の回動中心のまわりで回動可能に結合する結合手段（該結合手段を構成する軸部材を符号４Ａ３で図示する）と、押さえ部材４Ａ２の図１，２中の軸部材４Ａ３より右側の部分を基部４Ａ１の表面（即ちボード２の左側端縁部の表面）に対して当接させるような付勢力を発生させる圧縮バネ４Ａ４とを含んでいる。従って、基部４Ａ１と押さえ部材４Ａ２の図１，２中の軸部材４Ａ３より左側の部分とを手指で操作することで、作業指図票Ｓの図１，２中の左側の端縁を圧縮バネ４Ａ４の付勢力に基づき、基部４Ａ１と押さえ部材４Ａ２とで挟持することができる。図２において、圧縮バネ４Ａ４の付勢力の方向が矢印ａで示されている。押さえ部材４Ａ２は、ボード左側端縁部に対して作業指図票Ｓを介して当接された状態にて、該ボード左側端縁部に沿って図１中の上下方向に延びる摺動ガイド部４ＡＸを有している。
【００１５】
カーソル６Ａは、挟持手段４Ａの摺動ガイド部４ＡＸに対して当接されるガイド端縁部６ＡＸを有しており、このガイド端縁部と摺動ガイド部４ＡＸとの当接状態にて摺動ガイド部と直交する方向（即ち図１中の左右方向）に延びる指示部６Ａ１を有している。この指示部には、ガイド端縁部６ＡＸの近傍にてシート状磁石６Ａ２が接合されている。この接合は、例えば接着剤による接着または両面テープによる接着により行うことができる。シート状磁石６Ａ２としては、ゴムシート磁石を使用することができる。シート状磁石６Ａ２とボード２の板状部材２２との吸引力により、カーソル６Ａがボード２に保持される。かくして、手指操作により、カーソル６Ａを、そのガイド端縁部６ＡＸと挟持手段４Ａの摺動ガイド部４ＡＸとの当接状態を維持しつつ、摺動ガイド部４ＡＸと平行に移動させて、指示部６Ａ１により作業指図票Ｓの所望の行部分を指示することができる。図１において、指示部６Ａ１の移動方向が矢印ｂで示されている。
【００１６】
挟持手段４Ｂは、ボード２に対する取り付け位置を除いて、挟持手段４Ａと同様な構成を有する。即ち、挟持手段４Ｂは、ボード２の図１中の上側の端縁部に設けられていて、挟持手段４Ａと同様にして押さえ部材を基部に対して図１中の左右方向の回動中心のまわりで回動可能に結合している。従って、作業指図票Ｓの図１中の上側の端縁を挟持することができる。挟持手段４Ｂの押さえ部材は、ボード上側端縁部に対して当接された状態にて、該ボード上側端縁部に沿って図１中の左右方向に延びる摺動ガイド部４ＢＸを有している。
【００１７】
カーソル６Ｂは、カーソル６Ａと同様な構成を有する。即ち、カーソル６Ｂは、挟持手段４Ｂの摺動ガイド部４ＢＸに対して当接されるガイド端縁部６ＢＸを有しており、このガイド端縁部と摺動ガイド部４ＢＸとの当接状態にて摺動ガイド部と直交する方向（即ち図１中の上下方向）に延びる指示部６Ｂ１を有している。この指示部には、ガイド端縁部６ＢＸの近傍にてシート状磁石６Ｂ２が接合されている。シート状磁石６Ｂ２とボード２の板状部材２２との吸引力により、カーソル６Ｂがボード２に保持される。かくして、手指操作により、カーソル６Ｂを、そのガイド端縁部６ＢＸと挟持手段４Ｂの摺動ガイド部４ＢＸとの当接状態を維持しつつ、摺動ガイド部４ＢＸと平行に移動させて、指示部６Ｂ１により作業指図票Ｓの所望の列部分を指示することができる。図１において、指示部６Ｂ１の移動方向が矢印ｃで示されている。
【００１８】
カーソル６Ａの指示部６Ａ１及びカーソル６Ｂの指示部６Ｂ１は図１中において交差するが、これらの指示部を屈曲性を持つ薄い合成樹脂製の板状部材からなるものとすることで、指示部６Ａ１，６Ｂ１の交差状態での互いに独立した移動が可能である。
【００１９】
図１に示されているように、ボード２の表面の作業指図票Ｓの配置領域以外の領域において、例えば両面テープなどにより小型電卓８を貼付しておけば、作業担当者が必要に応じて所要の計算を行うことができる。また、同様に、ボード２の表面の作業指図票Ｓの配置領域以外の領域に、作業担当者が品質管理に関する情報１０などを随時貼付することができる。
【００２０】
以上の実施形態では、２つの挟持部材及び２つのカーソルが使用されているが、本発明においては、２つの挟持部材及び１つのカーソルを使用してもよい。また、１つのカーソル及びこれに対応する１つの挟持部材のみを設けたものであってもよい。
【００２１】
本発明の作業指図票ホルダーは、製品製造の作業工程での作業内容を記載した作業指図票の保持に利用されるものに限定されず、他の各種の作業のための指図票や、それらと類似の例えばコンピューター、ワードプロセッサー及びタイプライター等におけるデータ入力作業の際の原稿等の保持などに利用されるものに適用した場合にも同様な効果が得られるので、そのような形態のものをも包含するものである。
【図面の簡単な説明】
【００２２】
【図１】本発明による作業指図票ホルダーの一実施形態を示す模式的平面図である。
【図２】図１の模式的部分断面図ある。
【符号の説明】
【００２３】
２  ボード
２１  合成樹脂製の板状部材
２２  強磁性体からなる板状部材
４Ａ，４Ｂ  作業指図票挟持手段
４Ａ１  基部
４Ａ２  押さえ部材
４Ａ３  軸部材
４Ａ４  圧縮バネ
４ＡＸ，４ＢＸ  摺動ガイド部
６Ａ，６Ｂ  カーソル
６Ａ１，６Ｂ１  指示部
６Ａ２，６Ｂ２  シート状磁石
６ＡＸ，６ＢＸ  ガイド端縁部
８  小型電卓
１０  品質管理に関する情報
【図１】
2007029519.tif 000003
【図２】
2007029519.tif 000004